(57)【要約】【課題】一つのガスボンベから複数のガス圧のガスを供給させることにより、一つのガスボンベで互いにガス圧の異なる複数のガス機器を同時に使用可能とする。【解決手段】ガスボンベ３０のガス供給管３２に接続される上流管路（１１）に対して、該上流管路が成す一つのガス流路を複数のガス流路に分岐する下流管路１２が接続されて分岐管（１０）が構成され、下流管路１２の複数の下流端のそれぞれに、互いに調整されるガス圧力が異なる低圧レギュレータ２１、中圧レギュレータ２２が接続されて成る。【選択図】図１
2014092205.tif 000002
【特許請求の範囲】
【請求項１】
ガスボンベのガス供給口に接続される上流管路に対して、該上流管路が成す一つのガス流路を複数のガス流路に分岐する下流管路が接続されて分岐管が構成され、
前記下流管路の複数の下流端のそれぞれに、互いに調整されるガス圧力が異なる圧力調整弁が接続されて成ることを特徴とするガス配管装置。
【請求項２】
請求項１において、
前記下流管路は、その各下流端を除く全体が円弧状を成すように湾曲して形成されていることを特徴とするガス配管装置。
【請求項３】
請求項１又は２において、
前記分岐管は、縦置きされたガスボンベの上端部で、且つガスボンベの上端部を囲むように固定されたバルブガードの開放部に設けられ、
前記分岐管の内、前記バルブガードから外部に露出する部位はカバー体によって覆われ、
該カバー体は、前記バルブガードに固定され、
前記下流管路の各下流端は、前記カバー体から外部に突出されていることを特徴とするガス配管装置。
【請求項４】
請求項１又は２において、
前記分岐管及び全ての前記圧力調整弁が一つのケーシング内に収納され、
ガスボンベのガス供給口に接続される前記上流管路の上流端と、各ガス機器に接続される前記圧力調整弁の下流端とがケーシングの外部に突出されていることを特徴とするガス配管装置。
【発明の詳細な説明】
【技術分野】
【０００１】
本発明は、プロパンガス（ＬＰガス）ボンベのガスをガス機器に供給するガス配管装置に関する。
【背景技術】
【０００２】
プロパンガスを燃料としてガス機器を使用する際は、ガスが充填されたガスボンベに圧力調整弁を介してガス機器を接続している。係る構成は下記特許文献１に開示されている。
例えば、電源のない災害時やアウトドアイベント時にプロパンガスにより照明と煮炊きとを同時に行う場合には、２本のガスボンベを用意し、それぞれのガスボンベに圧力調整弁を介してガス発電機、ガスコンロを接続して対応している。
【先行技術文献】
【特許文献】
【０００３】
【特許文献１】特開２００３−１４４３３４号公報
【発明の概要】
【発明が解決しようとする課題】
【０００４】
このように、ガス圧が異なるガス機器を同時に使用する場合は、ガス機器毎に複数のガスボンベが必要となる問題点がある。換言すると、ガスボンベが一つしか用意できない場合は、一つのガス機器しか使うことができない。或いは、複数のガスボンベを用意できたとしても、ガスボンベは重量物であり、それを災害地やイベント会場へ運搬しなければならず、運搬のために多大な労力とエネルギーを必要とする。また、設置スペースも大きくなる。
このような問題に鑑み本発明の課題は、一つのガスボンベから複数のガス圧のガスを供給させることにより、一つのガスボンベで互いにガス圧の異なる複数のガス機器を同時に使用可能とすることにある。
【課題を解決するための手段】
【０００５】
本発明の第１発明のガス配管装置は、ガスボンベのガス供給口に接続される上流管路に対して、該上流管路が成す一つのガス流路を複数のガス流路に分岐する下流管路が接続されて分岐管が構成され、前記下流管路の複数の下流端のそれぞれに、互いに調整されるガス圧力が異なる圧力調整弁が接続されて成ることを特徴とする。
第１発明によれば、上流管路がガスボンベのガス供給口に接続され、各圧力調整弁の下流端に各圧力調整弁の調整ガス圧に対応したガス圧に設定されたガス機器が接続されることにより、一つのガスボンベで互いにガス圧の異なる複数のガス機器を同時に使用可能とすることができる。
【０００６】
本発明の第２発明は、上記第１発明において、前記下流管路は、その各下流端を除く全体が円弧状を成すように湾曲して形成されていることを特徴とする。
分岐管によりガス流路が分岐されることによりガスボンベのガス供給口から各ガス機器へ向かうガス流路が曲げられ、ガスの通流抵抗が大きくなるが、第２発明によれば、分岐されたガス流路が直角に曲げられる場合に比べてガス流路の曲がり度合が円滑とされるため、ガスの通流抵抗の増大を抑制することができる。
【０００７】
本発明の第３発明は、上記第１又は第２発明において、前記分岐管は、縦置きされたガスボンベの上端部で、且つガスボンベの上端部を囲むように固定されたバルブガードの開放部に設けられ、前記分岐管の内、前記バルブガードから外部に露出する部位はカバー体によって覆われ、該カバー体は、前記バルブガードに固定され、前記下流管路の各下流端は、前記カバー体から外部に突出されていることを特徴とする。
第３発明によれば、分岐管は、ガスボンベのガス供給口に接続された状態でバルブガード及びカバー体によって覆われるため、分岐管を外部の衝撃から保護することができる。そのため、分岐管をガスボンベのガス供給口に接続したままの状態で、それらを一体のものとして取り扱うことができ、分岐管をガスボンベのガス供給口に対して着脱する手間を省くことができる。
仮に、分岐管がカバー体により覆われず、外部に露出しているとすると、ガスボンベの運搬時に分岐管が取っ手のように作業者に掴まれて、分岐管を介してガスボンベが持ち上げられる可能性がある。このような取扱いを受けると、分岐管とガスボンベのガス供給口との接続部が破損してしまうなどの不具合が生じる恐れがある。第３発明によれば、分岐管はカバー体により覆われているため、そのような取扱いを受けることはなくなる。
【０００８】
本発明の第４発明は、上記第１又は第２発明において、前記分岐管及び全ての前記圧力調整弁が一つのケーシング内に収納され、ガスボンベのガス供給口に接続される前記上流管路の上流端と、各ガス機器に接続される前記圧力調整弁の下流端とがケーシングの外部に突出されていることを特徴とする。
第４発明によれば、分岐管及び全ての前記圧力調整弁を一体のものとして取り扱うことができ、分岐管と各圧力調整弁とをばらばらに取り扱う場合に比べて、取扱いが容易になる。また、分岐管及び全ての前記圧力調整弁がケーシングによって覆われているため、分岐管及び全ての前記圧力調整弁を外部の衝撃から保護することができる。
【図面の簡単な説明】
【０００９】
【図１】本発明の第１実施形態の斜視図である。
【図２】上記第１実施形態の側面図である。
【図３】上記第１実施形態を図１とは別の角度から観た斜視図である。
【図４】上記第１実施形態を図１とは更に別の角度から観た斜視図である。
【図５】上記第１実施形態における分岐管の斜視図である。
【図６】本発明の第２実施形態の斜視図である。
【図７】本発明の第３実施形態の斜視図である。
【図８】上記第３実施形態を図７とは別の角度から観た斜視図である。
【図９】上記第３実施形態のケーシングを透視した平面図である。
【図１０】上記第３実施形態のケーシングを透視した側面図である。
【図１１】本発明の第４実施形態の斜視図である。
【図１２】上記第４実施形態のケーシングを透視した正面図である。
【図１３】上記第４実施形態のケーシングを透視した側面図である。
【図１４】本発明の第５実施形態の斜視図である。
【発明を実施するための形態】
【００１０】
<第１実施形態>
図１〜４は、本発明の第１実施形態を示す。第１実施形態では、分岐管１０が縦置きされたガスボンベ３０の上端部で、ガスボンベ３０のガス供給口であるガス供給管３２に接続されている。分岐管１０のガス供給管３２側には、手締めハンドル１３が設けられ、公知のように、手締めハンドル１３の操作によりガス供給管３２内部に設けられたバルブ（不図示）が開閉され、その開閉によりガスボンベ３０から分岐管１０へのガスの供給が断続される。
図５は、分岐管１０を単独で示し、分岐管１０は、ガス供給管３２に接続される上流管路１１に対して、上流管路１１が成す一つのガス流路を２つに分岐する下流管路１２が接続されている。下流管路１２は、上流管路１１から下流管路１２の下流端１２Ａ、１２Ｂまで連続する各ガス流路の曲り度合が円滑となるように、上流管路１１と下流管路１２との接続部から下流端１２Ａ、１２Ｂにかけての部分が全体として円弧状に湾曲して形成されている。なお、上流管路１１の上流端１１Ａ付近には上述した手締めハンドル１３が設けられている。また、図１に示すように、下流管路１２の下流端１２Ａ、１２Ｂには、それぞれ互いに調整されるガス圧力が異なる圧力調整弁２１、２２が接続される。
【００１１】
図１〜４に示すように、ガスボンベ３０の上端部には、ガス供給管３２の周りを囲むように、バルブガード３１が溶接固定されている。バルブガード３１は、ガスボンベ３０のガス供給管３２部分が外力により損傷を受けないように保護すると共に、バルブガード３１がガスボンベ３０を運搬する際の取っ手としても使用されている。
金属製のバルブガード３１は、ガス供給管３２の周りを環状に囲んでいるが、分岐管１０が接続される側は開放されており、この開放部分に金属又はＦＲＰ（繊維強化プラスチック）製のカバー体４０が設けられている。カバー体４０は、その上部の取付部４２によりバルブガード３１に固定されており、バルブガード３１とカバー体４０とによりガス供給管３２の周りを隙間なく環状に囲んでいる。
取付部４２は、バルブガード３１の外周面に巻き付けられて一部に締付金具（図示省略）を備えるバンドであり、カバー体４０をバルブガード３１に対して着脱自在としている。取付部４２は、カバー体４０に対して一体又は別体のいずれでも良い。また、取付部４２は、その上端縁部がバルブガード３１の上端縁部に係合されるように、環状の内側に曲げて形成され、バルブガード３１に対して下方へずり落ちないようにされても良い。
カバー体４０は、分岐管１０の下流管路１２の下流端１２Ａ、１２Ｂを突出させており、カバー体４０の内、下流管路１２の各下流端１２Ａ、１２Ｂに挟まれた部分は突出部４１とされている。このように突出部４１を持ったカバー体４０によって、ガス供給管３２に接続された分岐管１０が、下流管路１２の下流端１２Ａ、１２Ｂを除いて覆われている。
【００１２】
第１実施形態によれば、上流管路１１がガスボンベのガス供給管３２に接続され、下流管路１２の各下流端１２Ａ、１２Ｂに接続された各圧力調整弁２１、２２の下流端に各圧力調整弁２１、２２の調整ガス圧に対応したガス圧に設定されたガス機器が接続されることにより、一つのガスボンベ３０で互いにガス圧の異なる複数のガス機器を同時に使用可能とすることができる。
また、分岐管１０においてガス流路が分岐されることによりガスボンベ３０のガス供給管３２から各ガス機器へ向かうガス流路が曲げられ、ガスの通流抵抗が大きくなるが、第１実施形態によれば、分岐管１０の下流管路１２が湾曲形状とされ、下流管路１２が直角に曲げられる場合に比べてガス流路の曲がり度合が円滑とされるため、ガスの通流抵抗の増大を抑制することができる。
【００１３】
更に、上記第１実施形態によれば、分岐管１０は、ガスボンベ３０のガス供給管３２に接続された状態でバルブガード３１及びカバー体４０によって覆われるため、分岐管１０を外部の衝撃から保護することができる。そのため、分岐管１０をガスボンベ３０のガス供給管３２に接続したままの状態で、それらを一体のものとして取り扱うことができ、分岐管１０をガス供給管３２に対して着脱する手間を省くことができる。
仮に、分岐管１０がカバー体４０により覆われず、外部に露出しているとすると、ガスボンベ３０の運搬時に分岐管１０が取っ手のように作業者に掴まれて、分岐管１０を介してガスボンベ３０が持ち上げられる可能性がある。このような取扱いを受けると、分岐管１０とガス供給管３２との接続部が破損してしまうなどの不具合が生じる恐れがある。上記第１実施形態によれば、分岐管１０はカバー体４０により覆われているため、そのような取扱いを受けることはなくなる。
【００１４】
<第２実施形態>
図６は、本発明の第２実施形態を示す。第２実施形態が上述の第１実施形態に対して特徴とする点は、第１実施形態におけるカバー体４０の形状を変更して、カバー体５０とした点である。即ち、カバー体５０をバルブガード３１に対して固定する取付部を上下２つにして、上部取付部５２と下部取付部５３とを設けた点を特徴とする。その他の構成は、第１実施形態と第２実施形態とは全く同一であり、同一部分には同一符号を付して再度の説明は省略する。
上部取付部５２は、第１実施形態における取付部４２と全く同一構成であり、下部取付部５３もバルブガード３１の下部に対応して設けられるが、基本構成は取付部４２と全く同一である。また、突出部５１も第１実施形態における突出部４１と全く同一構成である。
係る第２実施形態によれば、カバー体５０の取付部が上部取付部５２と下部取付部５３の２つとされているため、第１実施形態のように１つの取付部４２によって取り付けられる場合に比べて、カバー体５０のバルブガード３１に対する取付強度を高めることができる。
【００１５】
<第３実施形態>
図７〜１０は、本発明の第３実施形態を示す。第３実施形態が上述の第１実施形態に対して特徴とする点は、分岐管１０と各圧力調整弁２１、２２とを一体化し、ガスボンベ３０とは別体とした点である。即ち、分岐管１０の下流管路１２の各下流端には、圧力調整弁である低圧レギュレータ２１と中圧レギュレータ２２とがそれぞれ接続され、分岐管１０、低圧レギュレータ２１、及び中圧レギュレータ２２が箱形状のケーシング６０内に収納されている。低圧レギュレータ２１は、家庭用のガスコンロ（不図示）などに最適な圧力にガス圧を調整するものであり、中圧レギュレータ２２は、ガス発電機（不図示）などに最適な圧力にガス圧を調整するものである。
低圧レギュレータ２１と中圧レギュレータ２２の各下流端２３、２４、及び分岐管１０の上流管路１１の上流端１１Ｂは、それぞれケーシング６０の側壁から外部に突出されており、低圧レギュレータ２１の下流端２３には、家庭用のガスコンロ（不図示）などが接続され、中圧レギュレータ２２の下流端２４には、ガス発電機（不図示）などが接続され、更に、分岐管１０の上流管路１１の上流端１１Ｂには、可撓性を備えた高圧ホース１４を介してガスボンベ３０のガス供給管３２（図１参照）が接続される。なお、高圧ホース１４の途中には、第１実施形態において分岐管１０の上流管路１１に設けられていた手締めハンドル１３が移設されている。
ケーシング６０は、通気性を備えたメッシュ板により構成されており、仮にケーシング６０内でガス漏れが発生しても、漏れたガスがケーシング６０内に充満しないように配慮されている。ケーシング６０の下部の四隅には、それぞれ脚部６１が設けられ、ガスボンベ（３０）とは独立して地上に置けるようにされている。なお、各脚部６１の下端部には、それぞれキャスターが設けられても良い。キャスターが設けられた場合には、ケーシング６０の地上における位置の移動を容易にすることができる。
【００１６】
第３実施形態によれば、一つのガスボンベ（３０）によってガス圧が低圧規格のガスコンロと、ガス圧が中圧規格のガス発電機とを同時に使用することができる。従って、電源のない災害時やアウトドアイベント時にプロパンガスにより照明と煮炊きとを同時に行うことができる。しかも、分岐管１０、低圧レギュレータ２１、及び中圧レギュレータ２２を一体のものとして取り扱うことができ、分岐管１０、低圧レギュレータ２１、及び中圧レギュレータ２２をばらばらに取り扱う場合に比べて、取扱いが容易になる。また、分岐管１０、低圧レギュレータ２１、及び中圧レギュレータ２２がケーシング６０によって覆われているため、分岐管１０、低圧レギュレータ２１、及び中圧レギュレータ２２を外部の衝撃から保護することができる。
【００１７】
<第４実施形態>
図１１〜１３は、本発明の第４実施形態を示す。第４実施形態が上述の第３実施形態に対して特徴とする点は、第３実施形態におけるケーシング６０を縦長形状のケーシング７０とした点である。即ち、第３実施形態のケーシング６０内ではガスが水平方向に流れるように分岐管１０、低圧レギュレータ２１、及び中圧レギュレータ２２が互いに水平方向に接続されていたが、第４実施形態のケーシング７０内では、分岐管１０、低圧レギュレータ２１、及び中圧レギュレータ２２を流れるガスが垂直方向に流れるように互いに垂直方向に接続されている。
ここで、低圧レギュレータ２１及び中圧レギュレータ２２の下流端２３及び２４、並びに高圧ホース１４を介してガスボンベ３０のガス供給管３２（図１参照）が接続される上流管路１１の上流端１１Ｂは、ケーシング７０の下部の互いに対向する位置にそれぞれ設けられている。上流端１１Ｂに供給されたガスは、垂直方向に沿って配置された配管１５を介して、ケーシング７０内で上部に配置された分岐管１０の上流管路１１に導かれている。
低圧レギュレータ２１及び中圧レギュレータ２２の下流端２３及び２４が突出して配置されたケーシング７０の前面板の裏面側には固定板７２が固定されており、この固定板７２に対して固定金具７３によって分岐管１０、低圧レギュレータ２１、及び中圧レギュレータ２２が固定されている。また、ケーシング７０の下面の４隅には脚部７１がそれぞれ設けられて、ケーシング７０を支持している。
【００１８】
ケーシング７０は、第３実施形態におけるケーシング６０と同様に通気性を備えたメッシュ板により構成されているが、前面と上面だけは開孔のない平板にて構成されている。これは装置を屋外で使用した際に雨天時でも雨がケーシング７０内に入り難いようにするためである。また、前面板はケーシング７０内を見えないようにして見栄えを良くする意味もある。更に、前面板にはガスの使用量を表示するガス圧力計を取り付けても良い。
その他の構成は、第３実施形態と第４実施形態とは同一であり、同一部分には同一符号を付して再度の説明は省略する。
第４実施形態においては、ケーシング７０が縦長形状とされたため、ケーシング７０を置くためのスペースが少ない場合にも対応することができる。その他は、第３実施形態と同様の作用効果を達成することができる。
【００１９】
<第５実施形態>
図１４は、本発明の第５実施形態を示す。第５実施形態が上述の第３実施形態に対して特徴とする点は、第３実施形態におけるケーシング６０を小型化してケーシング８０とし、各脚部６１を省いた点である。即ち、ケーシング８０は別に用意される台などの上に置かれて使用される。その他の構成は、第３実施形態と第５実施形態とは全く同一であり、同一部分には同一符号を付して再度の説明は省略する。
第５実施形態においても、第３実施形態と同様の作用効果を達成することができる。
【００２０】
以上、特定の実施形態について説明したが、本発明は、それらの外観、構成に限定されず、本発明の要旨を変更しない範囲で種々の変更、追加、削除が可能である。例えば、
１．上記実施形態では、ガスボンベは一つのみとしたが、複数本が組み合わせて構成されても良い。ガスボンベが複数本から成る場合でも、ガスボンベのガス供給口は、一つに纏められて分岐管の上流管路に接続される。
２．上記実施形態では、分岐管の下流管路は、２つに分岐されているが、３つ以上に分岐されても良い。
３．上記実施形態では、分岐管の下流管路は、全体的に円弧状に湾曲して形成されているが、下流管路の下流端の上流側で直角に曲げられたもの、また、上流管路との接続部で各方向へ斜めに分岐されたものでも良い。
【符号の説明】
【００２１】
１０    分岐管
１１    上流管路
１１Ａ、１１Ｂ  上流端
１２    下流管路
１２Ａ、１２Ｂ  下流端
１３    手締めハンドル
１４    高圧ホース
１５    配管
２１    低圧レギュレータ（圧力調整弁）
２２    中圧レギュレータ（圧力調整弁）
２３、２４    下流端
３０    ガスボンベ
３１    バルブガード
３２    ガス供給管（ガス供給口）
４０、５０  カバー体
４１    突出部
４２    取付部
５１    突出部
５２    上部取付部
５３    下部取付部
６０、７０、８０  ケーシング
６１、７１    脚部
７２    固定板
７３    固定金具
【図１】
2014092205.tif 000003
【図２】
2014092205.tif 000004
【図３】
2014092205.tif 000005
【図４】
2014092205.tif 000006
【図５】
2014092205.tif 000007
【図６】
2014092205.tif 000008
【図７】
2014092205.tif 000009
【図８】
2014092205.tif 000010
【図９】
2014092205.tif 000011
【図１０】
2014092205.tif 000012
【図１１】
2014092205.tif 000013
【図１２】
2014092205.tif 000014
【図１３】
2014092205.tif 000015
【図１４】
2014092205.tif 000016